(57)【要約】履き物用の中敷は、足支持面を形成するための少なくとも１つの可撓性ベース部材を含む。少なくとも１つの可撓性ベース部材は、予め規定された足跡に一致する外周輪郭を有する。中敷は、さらに、予め規定された足跡のほぼ全長にわたる少なくとも１つの可撓性ベース部材に沿って同様に延びる安定化部材を含む。本発明の別の態様によれば、少なくとも１つの可撓性ベース部材は前足領域と踵領域とを規定し、好ましくは、安定化部材は前足領域と踵領域との間に延びる。これによって、安定化部材は好ましくは前足領域の足の親指の領域から延びる。このような特徴を有する安定化部材は、履き物の使用者の歩行中における圧力分布および安定性を改善する。特に、足の長手方向軸に沿った支持は走行および歩行にとって重要である。【選択図】図１
2012502684.tif 000002
【特許請求の範囲】
【請求項１】
履き物用の中敷であって、
足支持面を形成し、予め規定された足跡に一致する外周輪郭を有するための少なくとも１つの可撓性ベース部材と、
前記予め規定された足跡のほぼ全長にわたる前記少なくとも１つの可撓性ベース部材に沿って同様に延びる安定化部材と、
を含む中敷。
【請求項２】
前記少なくとも１つの可撓性ベース部材が前足領域と踵領域とを規定する請求項１に記載の中敷。
【請求項３】
前記安定化部材が前記前足領域と前記踵領域との間に延びる請求項２に記載の中敷。
【請求項４】
前記安定化部材が前記前足領域の足の親指の領域から延びる請求項２または３に記載の中敷。
【請求項５】
ウエスト領域が前記前足領域と前記踵領域との間に規定され、前記ウエスト領域と同延の前記安定化部材の一部が、最小のねじり剛性を有する請求項１〜４のいずれか１項に記載の中敷。
【請求項６】
前記少なくとも１つの可撓性ベース部材が第１の基板である請求項１〜５のいずれか１項に記載の中敷。
【請求項７】
前記安定化部材が実質的に細長い請求項１〜６のいずれか１項に記載の中敷。
【請求項８】
前記安定化部材が、長手方向に延びる複数の個々の要素を含む請求項７に記載の中敷。
【請求項９】
前記長手方向に延びる個々の要素が共に接合される請求項８に記載の中敷。
【請求項１０】
前記接合された複数の個々の要素が相互ロックされる請求項９に記載の中敷。
【請求項１１】
前記接合された複数の個々の要素が相互に接続される請求項９に記載の中敷。
【請求項１２】
前記接合された個々の要素が切り離し可能である請求項９に記載の中敷。
【請求項１３】
前記安定化部材が、横方向に延びる要素を含む請求項１〜１２のいずれか１項に記載の中敷。
【請求項１４】
前記個々の要素の少なくともいくつかが前記横方向に延びる要素を備える請求項１３に記載の中敷。
【請求項１５】
前記個々の要素の少なくともいくつかが、前記足支持面と同延の平面において、Ｔ字状、＋形状、Ｘ字状、Ｙ字状およびＯ字状のいずれか１つを有する請求項１３または１４に記載の中敷。
【請求項１６】
前記長手方向および横方向に延びる要素の少なくともいくつかが、前記少なくとも１つの可撓性ベース部材の表面領域を周囲で支持するように相互に接続される請求項１３〜１５のいずれか１項に記載の中敷。
【請求項１７】
前記長手方向および横方向に延びる要素が複数の節点を規定するように交差する請求項１６に記載の中敷。
【請求項１８】
前記節点が前記安定化部材の長手方向延長部および横方向延長部に沿って分布される請求項１７に記載の中敷。
【請求項１９】
前記リングが前記複数の節点の間に形成される請求項１７または１８に記載の中敷。
【請求項２０】
前記リングがハニカム形状を有する請求項１９に記載の中敷。
【請求項２１】
前記第１の基板が比較的可撓性である請求項１〜２０のいずれか１項に記載の中敷。
【請求項２２】
前記安定化部材が比較的非可撓性である請求項１〜２１のいずれか１項に記載の中敷。
【請求項２３】
前記安定化部材が比較的剛性である請求項１〜２２のいずれか１項に記載の中敷。
【請求項２４】
前記安定化部材が、その長さに対して少なくとも１つの横方向に可撓性である請求項１〜２３のいずれか１項に記載の中敷。
【請求項２５】
前記安定化部材が弾性的に回復する請求項１〜２４のいずれか１項に記載の中敷。
【請求項２６】
前記中敷が、さらに、前記第１の基板と実質的に同延である第２の基板を含む請求項６に記載の中敷。
【請求項２７】
前記安定化部材が前記第１の基板と前記第２の基板との間に収容される請求項２６に記載の中敷。
【請求項２８】
前記第１および第２の基板の一方が、前記安定化部材を収容するように適合された空洞を有するように形成される請求項２６または２７に記載の中敷。
【請求項２９】
前記第１および第２の基板の両方が、前記安定化部材の一部を収容するための空洞を有するように形成される請求項２６〜２８のいずれか１項に記載の中敷。
【請求項３０】
前記空洞が前記安定化部材を固定するように適合される請求項２８または２９に記載の中敷。
【請求項３１】
前記安定化部材が前記第１および第２の基板の一方に埋め込まれる請求項２６または２７に記載の中敷。
【請求項３２】
前記安定化部材が、前記第１および第２の基板の一方を有するように一体的に形成される請求項２６に記載の中敷。
【請求項３３】
前記足支持面を形成する前記少なくとも１つの可撓性ベース部材が開口メッシュ材料を含む請求項１〜３２のいずれか１項に記載の中敷。
【請求項３４】
前記安定化部材が比較的硬い板材料である請求項１〜３３のいずれか１項に記載の中敷。
【請求項３５】
前記安定化部材がインレーとして形成され、前記インレーの周囲には、前記第１および第２の基板の一方が少なくとも部分的に形成される請求項２６に記載の中敷。
【請求項３６】
前記安定化部材が前記前足領域よりも強く前記踵領域を強化する請求項１〜３５のいずれか１項に記載の中敷。
【請求項３７】
前記安定化部材が、前記踵領域から前記前足領域に向かって徐々に減少する断面を有する請求項２〜４のいずれか１項に記載の中敷。
【請求項３８】
前記安定化部材が、前記踵領域から前記前足領域に向かって徐々に減少する厚さを有する請求項２〜４のいずれか１項に記載の中敷。
【請求項３９】
前記安定化部材が前記第１および第２の基板の一方の外面に露出される請求項２６に記載の中敷。
【請求項４０】
前記第２の基板が、その長手方向延長部および横方向延長部全体にわたって、変化する厚さを有する請求項２６に記載の中敷。
【請求項４１】
前記安定化部材が、活性剤を搬送および／または分配するための導管を含む請求項１〜４０のいずれか１項に記載の中敷。
【請求項４２】
前記活性剤が、臭気中和剤、芳香剤、防臭剤および医薬化合物を含む群から選択される請求項４１に記載の中敷。
【請求項４３】
前記少なくとも１つの可撓性ベース部材の長手方向の可撓性および寸法、および／または前記安定化部材の長手方向の剛性および寸法が、前記中敷を弾性的に巻くことを可能にするように配置される請求項１〜４２のいずれか１項に記載の中敷。
【請求項４４】
前記安定化部材の前記長手方向に対して横方向に延びる折り畳み領域が設けられる請求項１〜４３のいずれか１項に記載の中敷。
【請求項４５】
前記折り畳み領域が、長手方向に延びる隣接する２つの個々の要素の間にまたはそれらの間の移行部の近傍に延びる請求項８または４４に記載の中敷。
【請求項４６】
請求項１〜４５のいずれか１項に記載の中敷のアセンブリ、および好ましくは弾性的に変形され、例えば巻かれるかまたは折り畳まれた状態の前記中敷を含むパッケージ。
【発明の詳細な説明】
【技術分野】
【０００１】
本発明は、靴、ブーツまたは同様の履き物用の中敷に関する。
【背景技術】
【０００２】
履き物用の中敷は、一般に知られており、通常、特に歩行中における履き物の使用者の足の快適性および適合性を向上させることに向けられる。人の足跡は非常に個性的であり、種々の特性があることが知られている。経済的に魅力的な提案となるような履き物は、通常、特に履き物の足支持面について、制限された数の平均的なサイズおよび形状で大量生産される。したがって、人の足跡と履き物の足支持面との間における極端な不適合性を低減する中敷は開発進行中である。この問題を軽減するために、複数のタイプの中敷が過去に提案されてきたが、多くの場合、剛性と可撓性との間で適切なバランスを得ることが困難であった。
【発明の概要】
【発明が解決しようとする課題】
【０００３】
したがって、本発明の目的は、先行技術の欠点の少なくとも１つを克服または改善することである。さらに、本発明の目的は、組立および作業がそれほど面倒でなく、さらに、比較的安価に製造することができる代替構造を提供することである。あるいは、本発明の目的は、少なくとも一般大衆に対して有用な選択肢を提供することである。
【課題を解決するための手段】
【０００４】
このため、本発明は、足支持面を形成し、予め規定された足跡に一致する外周輪郭を有するための少なくとも１つの可撓性ベース部材と、予め規定された足跡のほぼ全長にわたる少なくとも１つの可撓性ベース部材に沿って同様に延びる安定化部材とを含む履き物用の中敷を提供する。このようにして、安定化部材は、追加の剛性を中敷に付与することができ、これにより、足の快適性を向上させるかまたは長持ちさせることができる。追加の利点は、靴への挿入を阻止する程度にさらに多くの可撓性ベース部材を使用し得ることによって得られる。したがって、安定化部材は、靴への挿入を増大させるように追加の剛性を提供することもできる。本発明の別の態様によれば、少なくとも１つの可撓性ベース部材は前足領域と踵領域とを規定し、好ましくは、安定化部材は前足領域と踵領域との間に延びる。これによって、安定化部材が前足領域の足の親指の領域から延びるとさらに好ましい。このような特徴を有する安定化部材が、履き物の使用者の歩行中における圧力分布および安定性を改善することが確立されている。特に、足の長手方向軸に沿った支持は走行および歩行にとって重要であると考えられる。
【０００５】
本発明の別の態様によれば、ウエスト領域は前足領域と踵領域との間に規定され、この場合、ウエスト領域と同延の安定化部材の一部は、最小のねじり剛性を有する。歩行工程中の足の横方向運動および旋回運動は、複雑であることが知られており、このような運動における妥協により疲労が起きやすくなる。したがって、足の長手方向支持をなお実現しつつ、このような運動をできるだけ損なわないことが非常に重要である。
【０００６】
安定化部材が、長手方向に延びる複数の個々の要素を含むとさらに有利である。個々の要素の変形例によって、安定性、支持および可撓性の要求を正確に満たすことが可能になる。この点について、有利な用途は、共に接合されているか、相互ロックされているか、または相互に接続されている長手方向に延びる個々の要素によって提供される選択肢からなり得る。特に、接合された個々の要素が切り離し可能である場合に、標準的な個々の要素から、異なる安定化部材を組み立てることが可能になる。
【０００７】
横方向に延びる要素を含む安定化部材では、中敷の横方向の剛性をさらに増大させることが可能になる。個々の要素の少なくともいくつかが、横方向に延びる要素を備える場合に、予め選択された領域のみに対して横方向の剛性を制限することが可能である。他の有利な態様によれば、個々の要素の少なくともいくつかは、局部的な剛性に関する選択肢をさらに広げるために、足支持面と同延の平面において、Ｔ字状、＋形状、Ｘ字状、Ｙ字状およびＯ字状のいずれか１つを有し得る。さらに、長手方向および横方向に延びる要素の少なくともいくつかが、少なくとも１つの可撓性ベース部材の表面領域を周囲で支持するように相互に接続されることが可能である。これによって、長手方向および横方向に延びる要素は、選択的に、複数の節点を規定するように交差することが可能であり、および／またはこのような節点は、有利には、安定化部材の長手方向延長部および横方向延長部に沿って分布することが可能である。さらに改善されたこのような構成では、リングを複数の節点の間に形成することが可能であり、選択的に、このようなリングはハニカム形状であることも可能である。
【０００８】
この点について、第１の基板が比較的可撓性であることができ、一方、安定化部材が比較的非可撓性または比較的硬質であることができるということによって、利点が得られる。さらに、安定化部材はその長さに対して少なくとも１つの横方向に可撓性であり得る。好ましくは、安定化部材はさらに弾性的に回復し、その上、中敷によって提供される安定性、支持および可撓性が永続的であることを保証する。
【０００９】
本発明の別の態様によれば、中敷は、さらに、第１の基板と実質的に同延である第２の基板を含み得る。これによって、安定化部材が第１の基板と第２の基板との間に収容されると、および／または第１および第２の基板の一方が、安定化部材を収容するように適合された空洞を有するように形成されると有利であり得る。選択的に、第１および第２の基板の両方は、安定化部材の一部を収容するための空洞を有するように形成することができる。これによって、安定化部材を固定するように、空洞を適合させることもできる。選択的に、安定化部材が第１および第２の基板の一方に埋め込まれることによって、固定を実現することもできる。後者の例では、安定化部材が第１および第２の基板の一方を有するように一体的に形成されることも可能である。
【００１０】
さらに、中敷としての有用性は、開口メッシュ材料を含む足支持面を形成する少なくとも１つの可撓性ベース部材の恩恵を受けることが可能である。これにより、湿気および空気の通気が可能になり、使用者の快適性が向上する。
【００１１】
一般に、安定化部材が比較的硬い板材料であることが有利である。これによって、安定化部材がインレーとして形成され、このインレーの周囲には、第１および第２の基板の一方が少なくとも部分的に形成されることも可能になる。
【００１２】
本発明の別の態様によれば、安定化部材は、前足領域よりも強く踵領域を強化し得る。このことは、踵領域から前足領域に向かって徐々に減少する断面を提供する安定化部材によって、または踵領域から前足領域に向かって徐々に減少する厚さによって実現することができる。
【００１３】
本発明の別の好ましい態様は、第１および第２の基板の一方の外面に露出された安定化部材を有する。
【００１４】
さらに、第２の基板が、その長手方向延長部および横方向延長部全体にわたって、変化する厚さを有することが有利である。これによって、中敷は、人の足の形状と履き物の物品の足支持面の予め規定された形状との間の界面として機能することが可能である。
【００１５】
本発明のさらに他の態様によれば、安定化部材は、活性剤を搬送および／または分配するための導管を含み得る。このような活性剤は、臭気中和剤、芳香剤、防臭剤および医薬化合物を含む群から選択することが可能である。さらに、この選択肢により、本発明による中敷の使用者の快適性が向上し得る。
【００１６】
次に、添付図面を参照して、本発明についてさらに詳細に説明する。
【図面の簡単な説明】
【００１７】
【図１】本発明による中敷の第１の実施形態の分解図である。
【図２】中敷の集合状態における第１の実施形態の底面図である。
【図３】本発明による中敷の第２の実施形態の分解図である。
【図４】中敷の集合状態における第２の実施形態の底面図である。
【図５】本発明による中敷の第３の実施形態の分解図である。
【図６】上から見た集合された第３の実施形態のゴースト図である。
【図７】第４の実施形態の分解図である。
【図８】上から見た集合された第４の実施形態のゴースト図である。
【図９】第５の実施形態の分解図である。
【図１０】上から見た集合された第５の実施形態のゴースト図である。
【図１１】第６の実施形態の分解図である。
【図１２】上から見た集合された第６の実施形態のゴースト図である。
【図１３】第７の実施形態の分解図である。
【図１４】上から見た集合された第７の実施形態のゴースト図である。
【図１５】第２の変形実施形態の縦断面図である。
【図１６】第２の変形実施形態の底面図である。
【図１７（Ａ）】第２の変形実施形態の種々の領域における支持スパイクの変形例を示した選択的な部分断面図である。
【図１７（Ｂ）】第２の変形実施形態の種々の領域における支持スパイクの変形例を示した選択的な部分断面図である。
【図１７（Ｃ）】第２の変形実施形態の種々の領域における支持スパイクの変形例を示した選択的な部分断面図である。
【図１７（Ｄ）】第２の変形実施形態の種々の領域における支持スパイクの変形例を示した選択的な部分断面図である。
【発明を実施するための形態】
【００１８】
図１を参照すると、本発明による中敷の第１の実施形態を共に形成する個々の要素が分解図で示されている。第１の可撓性ベース部材１は、足支持面を規定し、人の足跡にほぼ一致する外周輪郭を有する。この足支持ベース部材１は、好ましくは、開口構造を有する弾性スペーサ材料からなる。このような複数のスペーサ材料は商業的に入手可能であり、通常、ややスポンジ状の構造を有する。限定しない場合、第１の可撓性ベース部材として使用するのに適切な１つの基板は、ＦｒｅｕｄｅｎｂｅｒｇのＳＴ  １３０５／７０の材料であり得る。さらに、図１には、この実施形態において好ましくは足プロファイルに一致する第２の可撓性ベース部材３が示されている。それに応じて、第２の可撓性ベース部材３は、Ｋｏｅｓｔｅｒ  ＫＳＬ  １０１０３等のポリウレタンゲルからなることができ、追加の可撓性のために、離間した複数のピン状要素７を有する踵部５を有するように形成される。さらに、追加の可撓性および快適性のために、第２の可撓性ベース部材３の底面の残部は、複数のスパイク状突出部９によってほぼ覆われる。その上、スパインとして機能する安定化部材１１が、第１の実施形態の構成要素として設けられる。この第１の実施形態では、安定化部材１１は、図２に示したように、第２の可撓性ベース部材３の外側底面にラミネートされるナイロン等のような比較的硬い板状の材料からなることができる。図２は、視野から隠れた第１の可撓性ベース部材を有する、下から見ることができるような中敷１３を形成する図１の集合された構成要素を示している。さらに、図１および図２では、安定化部材１１が、長手方向に延びるスパイン要素１５と側部支持延長部１７とを有するシャンクとして形成されることが理解される。その上、第２の可撓性ベース部材３の踵部５に対応する踵開口部１９が設けられることが理解される。図１および図２の実施形態では、安定化部材１１が、第２のベース部材３の露出された底面の上にラミネートされるかまたはその中に埋め込まれるものとして示されているが、選択的には、第１のベース部材と第２のベース部材との間に当該安定化部材をラミネートすることも可能であり、これによって、そのようなことを望むならば、当該安定化部材は視野から隠される。図３および図４には、図１および図２に関連して説明した中敷の変形例である中敷３３の第２の実施形態が示されている。同様の要素は、図１および図２で用いられている参照番号よりも大きな「２０番台」にわたる参照番号で示されている。さらに、図３に示したように、第２の実施形態は、スポンジ構造を有する不織布材料であり得る好ましくは可撓性および／または吸収性の開口基板材料製の第１の可撓性ベース部材２１から構成される。さらに、第２の実施形態は、全ての態様において図１および図２の第２の可撓性ベース部材と同一である第２の可撓性ベース部材２３を有する。
【００１９】
それに応じて、第２の可撓性ベース部材は、自立する複数のピン状要素２７によって形成された踵部２５と、スパイク状突出部２９によってほぼ覆われた主面とを有する。比較的硬い板状の材料からなる安定化部材３１は、長手方向に延びるスパイン要素３５と踵開口部３９とを有する。第１の実施形態のスパイン要素と同様に、第２の実施形態のスパイン要素３５は中敷３３の踵領域から中敷３３の前足領域に延びる。より詳しくは、スパイン要素３５は足の親指の前足領域に延びる。さらに、第２の実施形態の安定化部材３１は中敷の横方向において剛性を提供する。このことは、前部リング４１および中央リング４３等の横方向に延びる要素によって実現されている。前部リング４１および中央リング４３は、スパイン要素３５の長さに沿って、第１の節点４５、第２の節点４７、第３の節点４９および第４の節点５１のそれぞれによって接合される。踵開口部３９はリングも形成するが、このリングは、比較的硬質であることができ、この領域の安定化材料の量およびリングのサイズに固有である。前足領域と踵領域との間の中央領域またはウエスト領域において、安定化部材は、それほど硬質である必要はなく、中央リング４３のより大きなサイズと、リング外周の半径方向に延びる安定化材料の低減された量とによって実現される。前足領域において、横方向の剛性は好ましくは最小であり、したがって、前部リング４１のリングサイズおよび半径方向の材料延長部がそれ相応に適合される。さらに、中敷のウエスト領域のねじり剛性も好ましくは最小である。このことは、第２の実施形態において、丁度ウエスト領域内に第３の節点４９および第４の節点５１を配置し、隣接するリング構造の隣接する節点の間に延びるスパイン要素３５の長手方向部分のみを有することによって実現される。図５および図６には、本発明による中敷の第３の実施形態が示されている。さらに、この第３の実施形態は第１の足支持ベース部材６１と第２のベース部材６３と安定化部材６５とを有する。安定化部材６５は、スパイン要素を共に形成する第１〜第７のやや楕円形の１列のリング６７〜７９からなる。第１〜第７のリング６７〜７９は、第１〜第６の節点８１〜９１を形成する一体的な周縁部によって相互に接続される。横方向の剛性のために、節点の間にはリングが横方向に延びる。好都合には、節点８１〜９１はライン９３に沿って配置され、このラインは、人の足の局部的な安定化要求に対応する湾曲経路に沿って踵領域から足の親指領域まで延びる。図５および図６の第３の実施形態の特定の特徴は、第７のリング７９が、発生した発熱を充填可能である反応性化合物を保持する容器９５を保持するためのチャンバを形成することである。容器９５は、踵領域から前方に前足領域に延びる熱伝導要素９７に接触する。熱伝導要素９７の上面は第１のベース部材６１の開口部９９を通して露出される。熱伝導要素９７は、化合物容器９５を有する状態でまたはそれを有しない状態で使用することができる。人に起きる共通の現象は、足の踵部が前足、特に足指部よりも暖かくなることである。１つの目的は、熱伝導要素９７が、熱を踵部分から前足領域に向かって導き、第１のベース部材６１の開口部９９を通して足指領域でこの熱の交換を行うことを実現することである。
【００２０】
熱伝導要素９７の第２の目的は、熱伝導要素９７が、熱を化合物容器９５から足下面全体にわたって、特に、開口部９９を通して足指領域に導くことである。化合物容器９５は、結晶化を開始することができる超冷却された食塩水を含む再利用可能な加熱パックであり得る。このため、容器９５に機械的点火手段を設けて、容器内に収容された化合物の化学反応を活性化させることが可能である。（一般にＰＣＭと呼ばれる）位相変化材料を使用して、中敷による温度制御を提供することも可能である。ＰＣＭを容器９５に収容することができるが、これらのＰＣＭを第１のベース部材６１の材料に組み込むことも可能である。この第３の実施形態において、第２のベース部材６３は好ましくは閉鎖セルＥＶＡである。明確には、熱伝導に対する干渉が最小になるように、第１のベース部材６１用の材料を選択すべきであり、一方、熱伝導要素９７は、優れた熱伝導特性を有するべきである。したがって、熱伝導要素９７は銅箔等のような金属基板であり得る。安定化要素６５は、第２のベース部材６３の空洞に取り外し可能に固定され得るか、またはその空洞に接着されるかまたは埋め込まれ得る。図７および図８には、中敷１０１の第４の実施形態が示されている。中敷１０１は第１の足支持ベース部材１０３を含む。第１のベース部材１０３は、弾性でもあり、開口気孔も提供する開口メッシュ構造である。さらに、第４の実施形態１０１には、開口セル発泡構造である第２のベース部材１０５が設けられる。安定化部材１０７は、個々に形成された１列のＴ字状要素１０９を有する魚の骨の形態をとる。個々の要素１０９は、要求に応じて種々の形状および数に変更することができる。さらに、個々の要素１０９は、要求に応じて、一体的に接合され、共に接合され、相互ロックされるかまたは分離可能に相互に接続されることができる。好都合には、安定化部材１０７を一体の射出成形プラスチックとして得ることができ、個々の要素１０９がリビングヒンジによって一体的に接続される。中敷１０１に対する横方向の剛性を提供するために、個々の要素１０９の各々、または選択された数の個々の要素１０９には、横方向に延びる第１の横方向要素１１１および第２の横方向要素１１３が設けられる。中敷１０１の第４の実施形態の１つの追加の特徴は、芳香剤または臭気中和剤または防臭剤を分配するためのウィック要素１１５である。このウィック要素１１５は、下方（矢印１１６）からの安定化部材１０７への固定のために形成されており、予め規定された数の個々の要素１０９に対応して形成された空洞１１７を有する。ウィック要素１１５によって分配された芳香剤、臭気中和剤または防臭剤は、第２のベース部材１０５の開口セル構造と第１の足支持ベース部材１０３の開口メッシュ構造とを通して制御して逃がすことができる。図８は、集合された第４の実施形態および中敷１０１の全体を上方から示している。好ましくは、図７の分解図に示した構成要素の全ては、共にラミネートされ、ポリウレタンゲル、シリコンゴムまたは同様の材料等の形成された可撓体１１９に埋め込まれる。第４の実施形態１０１において、アクセス可能な空洞を底面に設けて、ウィック要素１１５を新しい交換カートリッジに交換できるようにすることも可能である。図９および図１０には、中敷１２１の形態の本発明の第５の実施形態が示されている。さらに、足支持面は、好ましくは開口気孔スペーサ材料からなる第１の可撓性ベース部材１２３によって設けられる。この場合、第２の可撓性ベース部材は、足支持力を分配するためのゲル充填ピローの形態で設けられる。適切なゲル充填部は、動的に変化する粘弾性を有することが可能である。第２のベース部材１２５の底面は、図９の拡大詳細図に示したような複数のゲル充填支持スパイク１２７を有するように形成することができる。安定化部材１２９は、可撓的に共に接合される複数のＴ字状要素１３１として構成される。図１０の上方からのゴースト図に示したようなアセンブリは、第１のベース部材１２３と第２のベース部材１２５と安定化部材１２９とを接着接続することによって得ることが可能である。これらの３つのベース要素は、人の足と靴等の履き物のアイテムの足支持面との間の界面として形成することができるポリウレタンゲル等の可撓性埋め込み体に埋め込むことも可能である。図１１および図１２に示したような中敷１３２の第６の実施形態は足支持用の第１のベース部材１３３を備える。この場合、第１のベース部材１３３は、メッシュとして形成されているラミネートされた発泡基板の形態である。第２のベース部材１３５は、ポリウレタンゲルまたはシリコンゴム等の可撓性成形材料からなる。第２のベース部材１３５には、安定化部材１３９の形状に対応する細長い中央空洞１３７が設けられる。安定化部材１３９は、異なる形状を各々有することができる複数の個々のほぼ「＋」形状の要素１４１を含んでいる。これらの要素１４１は、安定化部材１３９の長手方向において互いに分離可能に係合し、第２のベース部材１３５の中央空洞１３７に収容されるときに係合して保持することができる。同様に、個々の要素１４１を安定化部材１３９として一体的に形成することが可能である。さらに、第１のベース部材１３３、第２のベース部材１３５および安定化部材１３９の組立時に、これらの構成要素は、接続手段としての接着シールまたは熱シールを使用して接着接続され得る。図１２には、集合された中敷１３２が示されている。図１３および図１４には、本発明による中敷１４２の第７の実施形態が示されている。中敷１４２の第７の実施形態は、メッシュ構造を有する基板によって形成される第１のベース部材１４３を備える。第２のベース部材１４５は、ポリウレタンゲルまたは同様の材料を成形することによって得られた３次元形状を有する。この第２のベース部材１４５は、その踵部の裏面を覆う複数の弾性支持スパイク１４７を有するように形成することも可能である。安定化要素１４９は、参照番号１５１で示したように、第２のベース部材１４５に収容されるかまたは埋め込まれるように配置される。より詳しくは、安定化部材１４９は、ほぼ長手方向に延びる要素１５３および横方向に延びる要素１５５の構成を含んでいる。長手方向に延びる要素１５３および横方向に延びる要素１５５は、節点１５７を形成するほぼＹ字状の合流点において互いに交差して配置される（節点１５７のいくつかが図１３に示されている）。さらに、図１３では、節点１５７の構成が、安定化部材１４９の長手方向延長部の選択領域において、周囲が閉じられた表面支持領域１５９を形成するようなものであることが理解できる。閉じられた表面領域１５９の形状は六角形のハニカムとして示されているが、円形、楕円形等のような他の形状も可能であることを理解されたい。踵部は、他の閉じられた表面支持領域１５９よりも大きな閉じられた表面支持領域１６１を有することができる。節点１５７の分布と、閉じられた表面領域１５９の数および位置とを変更することによって、安定化部材１４９が第１のベース部材１４３および第２のベース部材１４５に寄与する相対的な剛性および相対的な可撓性を変更することが可能である。中敷１４２の第７の実施形態の追加の特徴は、足の温度調節のための位相変化材料（ＰＣＭ）を含む中間層１６３である。位相変化材料は、かなり最近、屋外用衣服で注目されており、本発明では、履き物用の中敷における位相変化材料の有用性が認識されている。このようなＰＣＭの使用については第７の実施形態に関連して説明してきたが、この特徴が、本明細書に示した他の実施形態の任意のものと組み合わされ得ることをさらに説明する必要はないであろう。
【００２１】
次に、図１５および図１６を参照すると、図３および図４の第２の実施形態の変形例が、断面図（図１５）でおよび底面図（図１６）で示されている。この点について、図１６に示した中敷が、図４に示した中敷の着用者の反対側の足のものであるが、他の点ではほぼ同様であるように意図されることに留意されたい。第１、第２、第５および第７の実施形態に関連して既に説明したように、第２のベース部材であり得る中敷の底面は、複数のピン状またはスパイク状突出部を有するように形成することができる。これらの突出部は弾性支持スパイクおよび／またはゲル充填支持スパイクであり得る。この構成は着用者に対して追加の緩衝を提供するが、その理由は、支持突出部がマイクロスプリングとして機能し、同時に、中敷の質量を少なく保持するからである。さらに、スパインを追加することにより、載置する中敷の質量を低減することが可能になる。ここで、第２の変形実施形態により、高エネルギー緩衝、中間エネルギー緩衝を必要とするかあるいはエネルギー緩衝を全くまたはほとんど必要としない中敷の領域において、突出部の形状、分布および割合が変更される。さらに、支持スパイクの間のランドにわたって分布されるあるパターンの孔を使用すること、質量のさらなる低減を可能にすること、および／または通気を改善することも可能である。この別の任意の変形例は、図１５または図１６に示されていないが、当業者に対するさらなる説明は不要であろう。図１５および図１６に示したように、中敷１５２は底面１５３と頂面１５５とを有する。底面１５３には、図３に関連して説明した形態であるスパイン１６１が設けられる。スパイン１６１によって覆われない中敷の底面１５３は、円錐状の突出部１５７によって覆われた高エネルギー緩衝の踵領域と、円錐状の突出部１５９によって覆われた比較的高いエネルギー緩衝の別の前足領域とを規定する。中敷１５２の残りの領域は、中間的な緩衝から低い緩衝であり、突出部１６９と１７９を設けることができる。好ましくは、支持突出部１５７、１５９、１６９および１７９は、ゲル状の材料からなり、中敷１５２の主体と一体的であり得る。図１７Ａ〜図１７Ｄにより詳細に示されているように、個々の突出部１５７と１５９は、一般に、最小のエネルギー緩衝のみを必要とする突出部１６９と１７９よりも大きな体積および質量を有する。さらに、これらの突出部が相対領域を覆う密度によって、緩衝効果を変化させることができる。したがって、踵領域の突出部１５７の密度は前足領域１５９の突出部１５９の密度よりも高いことが可能である。ゲル材料に関連して、突出部の適切な高さは約２ｍｍであることが確認されている。より細い突出部１６９と１７９（図１７Ａおよび図１７Ｃ）は、１ｍｍの基端直径と０．７ｍｍの末端直径とを有する丸い円錐形状を有することができる。より太い突出部１５７と１５９（図１７Ｄおよび図１７Ｂ）について、適切な基端直径は約２．５ｍｍであり、適切な末端直径は１．８ｍｍである。支持突出部１５７、１５９、１６９、１７９のこのような寸法および割合では、これらの支持突出部がエネルギー緩衝に有効であり得るように、隣接する突出部の間で十分なランドを維持しつつ、密度および分布を変更する実行可能な範囲が存在する。
【００２２】
より一般に、および選択的に本発明とは別の態様として、実施形態の１つの中敷をパッケージ形態で提供することが可能である。それに応じて、中敷のアセンブリと、好ましくは弾性的に変形され、例えば巻かれるかまたは折り畳まれた状態の中敷を含むパッケージとが提供される。さらに、パッケージに包含するように変形配置される中敷が提供される。好ましくは、手で変形状態を得ることができる。例えば、手で中敷を巻くかまたは折り畳むことができる。変形状態において、少なくとも一方向における、例えば、非変形状態の中敷を有する安定化部材の長手方向に沿った中敷のサイズは減少され得る。このようにして、パッケージを小さくし、したがって、コストを下げることが可能である。さらに、サイズが低減されたパッケージは、特定の店舗で一般に用いられる棚寸法とより良い適合性があり得る。代わりに、パッケージ形態の中敷は、その中敷用のパッケージと、例えば、図２、図４、図６、図８、図１０、図１２、図１４および図１６に示したように、実質的に変形されていない状態の中敷とを含んでもよい。次に、パッケージは、中敷の変形性に対して、例えば、第１および第２の可撓性ベース部材の長手方向の可撓性および寸法に対して、ならびに安定化部材の長手方向の剛性および寸法に対して要求を課さない。ここで、選択的には、中敷は、変形状態、例えば、巻かれるかまたは折り畳まれた状態においてパッケージに不適切である可能性もある。
【００２３】
変形状態の中敷は例えば巻かれてもよい。これに対して、第１および第２の可撓性ベース部材の長手方向の可撓性および寸法、および／または安定化部材の長手方向の剛性および寸法は、中敷を弾性的に巻くことを可能にするように配置され得る。巻かれた状態では、例えば、前足領域は中敷の踵領域と接触することが可能である。
【００２４】
代わりに、変形状態の中敷は例えば折り畳まれてもよい。これに対して、中敷には、非変形状態の中敷を有する安定化部材の長手方向に対して横方向に延びる折り畳み線等の折り畳み領域を設けることが可能である。このような折り畳み領域は、中敷の局部的に増大した可撓性によって形成され得る。折り畳み領域は、例えば、隣接する２つのＴ字状要素１３１の間にまたはそれらの間の移行部の近傍に延びることが可能である。代わりに、折り畳み領域は、例えば、隣接する２つの個々の「＋」形状要素１４１の間にまたはそれらの間の移行部の近傍に延びてもよい。さらに、代わりに、折り畳み領域を可能にすることなく、Ｔ字状要素１３１または個々の「＋」形状要素１４１を中敷に設けてもよいことが理解され得る。
【００２５】
変形状態の中敷は、歩行中に変形される場合と同じ方向に（すなわち、外側に配置された第２の可撓性ベース部材の底面と共に）巻かれるかまたは折り畳まれることが可能である。さらに、代わりに、変形状態の中敷は、歩行中に変形される場合とは反対方向に（すなわち、内側に配置された第２の可撓性ベース部材の底面と共に）巻かれるかまたは折り畳まれることが可能である。これにより、一方では、第１および第２の可撓性ベース部材の長手方向の可撓性および寸法、ならびに安定化部材の長手方向の剛性および寸法のための、中敷の使用で課される要求と、他方では、第１および第２の可撓性ベース部材の長手方向の可撓性および寸法、ならびに安定化部材の長手方向の剛性および寸法のための、パッケージで課される要求との間における改善された最適条件を選択することが可能になり得る。これに対して、安定化部材には、折り畳み領域の一例である折り畳みヒンジを設けることが可能である。好ましくは、折り畳みヒンジは、非変形状態から一方向のみへの変形を可能にするように配置される。このようなヒンジは、例えば、中敷の頂面から安定化部材内に部分的に延びる切り込みによって、簡単に形成することが可能である。さらに、切り込みは好ましくは安定化部材の長手方向に対して横方向に延びる。
【００２６】
したがって、パッケージに関する実施形態、例えば、透明なプラスチックバッグまたは円筒状または楕円形状であり得る缶は、すなわち当業者に知られているので、さらなる説明は不要であると考えられる。
【００２７】
したがって、本発明の動作および構造が上記説明から明らかになると考えられる。本明細書で使用されるような中敷という用語は、実用用途、治療用途またはスポーツ用途のための靴、ブーツ等を含む任意のタイプの履き物に関連する任意のインレーまたはソールを含んでいるものを指す。本発明は、本明細書に示した実施形態に限定されず、当業者の範囲内において、添付の特許請求の範囲内にあると考えるべきである変形例が可能である。同様に、全ての運動学的反転が本質的に開示されると考えられ、本発明の範囲内に含まれるべきである。この説明または添付の特許請求の範囲で使用される場合の用語は、排他的または網羅的な意味であると解釈されるべきではなく、包括的な意味であると解釈されるべきである。「．．．用の手段」等の用語は、「．．．ように構成された構成要素」または「．．．に構成された部材」であると理解されるべきであり、開示される構造の等価物を含むものと解釈されるべきである。「重要な」、「好ましい」、「特に好ましい」等の用語の使用は、本発明を限定するように意図されていない。さらに、本発明の範囲から逸脱することなく、具体的または明確に記載または請求されない特徴を、本発明による構造に含めることが可能である。
【符号の説明】
【００２８】
１  第１の可撓性ベース部材
１  足支持ベース部材
３  第２の可撓性ベース部材
５  踵部
７  離間した複数のピン状要素
９  複数のスパイク状突出部
１１  安定化部材
１３  中敷
１５  長手方向に延びるスパイン要素
１７  側部支持延長部
１９  踵開口部
２１  第１の可撓性ベース部材
２３  第２の可撓性ベース部材
２５  踵部
２７  自立する複数のピン状要素
２９  スパイク状突出部
３１  安定化部材
３３  中敷
３５  長手方向に延びるスパイン要素
３９  踵開口部
４１  前部リング
４３  中央リング
４５  第１の節点
４７  第２の節点
４９  第３の節点
５１  第４の節点
６１  第１の足支持ベース部材
６３  第２のベース部材
６５  安定化部材
６５  安定化要素
６７  第１のやや楕円形のリング
６９  第２のやや楕円形のリング
７１  第３のやや楕円形のリング
７３  第４のやや楕円形のリング
７５  第５のやや楕円形のリング
７７  第６のやや楕円形のリング
７９  第７のやや楕円形のリング
８１  第１の節点
８３  第２の節点
８５  第３の節点
８７  第４の節点
８９  第５の節点
９１  第６の節点
９３  ライン
９５  化合物容器
９７  熱伝導要素
９９  第１のベース部材６１の開口部
１０１  中敷
１０１  第４の実施形態
１０３  第１の足支持ベース部材
１０５  第２のベース部材
１０７  安定化部材
１０９  Ｔ字状要素
１１１  第１の横方向要素
１１３  第２の横方向要素
１１５  ウィック要素
１１６  矢印
１１７  空洞
１１９  可撓体
１２１  中敷
１２３  第１の可撓性ベース部材
１２５  第２のベース部材
１２７  複数のゲル充填支持スパイク
１２９  安定化部材
１３１  複数のＴ字状要素
１３２  集合された中敷
１３３  第１のベース部材
１３５  第２のベース部材
１３７  細長い中央空洞
１３９  安定化部材
１４１  複数の個々のほぼ「＋」形状の要素
１４２  中敷
１４３  第１のベース部材
１４５  第２のベース部材
１４７  複数の弾性支持スパイク
１４９  安定化要素
１４９  安定化部材
１５２  中敷
１５３  ほぼ長手方向に延びる要素
１５３  底面
１５５  横方向に延びる要素
１５５  頂面
１５７  節点
１５７  円錐状の突出部
１５９  他の閉じられた表面支持領域
１５９  円錐状の突出部
１６１  閉じられた表面支持領域
１６１  スパイン
１６３  中間層
１６９  支持突出部
１７９  支持突出部
【図１】
2012502684.tif 000003
【図２】
2012502684.tif 000004
【図３】
2012502684.tif 000005
【図４】
2012502684.tif 000006
【図５】
2012502684.tif 000007
【図６】
2012502684.tif 000008
【図７】
2012502684.tif 000009
【図８】
2012502684.tif 000010
【図９】
2012502684.tif 000011
【図１０】
2012502684.tif 000012
【図１１】
2012502684.tif 000013
【図１２】
2012502684.tif 000014
【図１３】
2012502684.tif 000015
【図１４】
2012502684.tif 000016
【図１５】
2012502684.tif 000017
【図１６】
2012502684.tif 000018
【図１７（Ａ）】
2012502684.tif 000019
【図１７（Ｂ）】
2012502684.tif 000020
【図１７（Ｃ）】
2012502684.tif 000021
【図１７（Ｄ）】
2012502684.tif 000022
【国際調査報告】
2012502684.tif 000023
2012502684.tif 000024